(57)【要約】【課題】  食品の防腐等の食品に対する効果だけでなく、人の健康回復・増進等の人に対する効果をも発揮する多機能な機能水を製造することが可能な機能水製造装置を提供する。【解決手段】  海洋深層水と植物性発酵液が添加された水道水に高調波電圧を印加する高調波電圧発生器１０と、高調波電圧が印加された水に炭素光を照射する炭素光発生器３５と、炭素光が照射された水をろ過するろ過器４０と、ろ過された水に含まれる有機物を炭化させる炭化装置５０等を備える。【選択図】        図１
0003101804.tif 000002
【実用新案登録請求の範囲】
【請求項１】
機能水を製造する装置であって、
水に高調波電圧を印加する高調波電圧印加手段と、
高調波電圧が印加された水に炭素光を照射する炭素光照射手段と、
炭素光が照射された水に含まれる有機物を炭化させる炭化手段と
を備えることを特徴とする機能水製造装置。
【請求項２】
前記高調波電圧印加手段は、タンクに貯蔵された水の表面近くに浸水された第１炭素電極と前記タンクの底面に敷設された第２炭素電極との間に前記高調波電圧を印加する
ことを特徴とする請求項１記載の機能水製造装置。
【請求項３】
前記炭素光照射手段は、炭素をフィラメントとする電球から照射される光を前記水に照射する
ことを特徴とする請求項１記載の機能水製造装置。
【請求項４】
前記炭化手段は、
炭素を収納したガラス管と、
前記ガラス管内の炭素に電流を印加する電流源とを有する
ことを特徴とする請求項１記載の機能水製造装置。
【考案の詳細な説明】
【技術分野】
【０００１】
本考案は、食品の防腐、健康回復・増進、体質改善、けがの治癒、成長促進、美容、人の自然治癒力・免疫力の活性化等の各種機能を発揮する機能水の製造装置に関する。
【背景技術】
【０００２】
一般に食品の防腐は、加熱したり、低温雰囲気中で保持したりすることで行われている。ところが加熱することは食品本来の風味を損ねてしまうという問題があり、低温雰囲気中で保存するには冷蔵庫等の設備や電気が必要とされるという問題がある。
このような問題を解決する従来の技術として、特殊な処理を施した水を用いて食品を防腐する技術が提案されている（例えば、特許文献１参照）。この従来技術によれば、タンク内の水に高調波電圧を印加し、得られた水で食品を洗浄、又は、その水を用いて食品を製造する。これによって食品に防腐性が付与されるというものである。
【特許文献１】特開平２−１００６６１号公報
【考案の開示】
【考案が解決しようとする課題】
【０００３】
しかしながら、上記従来の技術によれば、食品については防腐機能が付与されるものの、人の健康を回復・増進したり、体質を改善したり、けがを治癒したり、成長を促進したり、美容効果を発揮したり、人の自然治癒力・免疫力を活性化したり等の人に対して多種多様な効果を発揮するには至っていないという問題がある。
一方、最近の健康保持への関心の高まりに伴い、深層水等の各種ミネラル水が開発され販売されている。ところが、ミネラル水は、美容、ダイエット、健康、体力増進等の人に対する効果を発揮するものの、食品に対して防腐効果を発揮するものではないという問題がある。
【０００４】
そこで、本考案は、このような状況に鑑みてなされたものであり、食品の防腐等の食品に対する効果だけでなく、人の健康回復・増進等の人に対する効果をも発揮する多機能な機能水を製造することが可能な機能水製造装置等を提供することを目的とする。
【課題を解決するための手段】
【０００５】
上記目的を達成するために、本考案に係る機能水製造装置は、水に高調波電圧を印加する高調波電圧印加手段と、高調波電圧が印加された水に炭素光を照射する炭素光照射手段と、炭素光が照射された水に含まれる有機物を炭化させる炭化手段とを備えることを特徴とする。
ここで、前記高調波電圧印加手段は、例えば、タンクに貯蔵された水の表面近くに浸水された第１炭素電極と前記タンクの底面に敷設された第２炭素電極との間に前記高調波電圧を印加することで、水のクラスタを分解し、単分子水にする。
【０００６】
また、前記炭素光照射手段は、例えば、炭素をフィラメントとする電球から照射される光を前記水に照射することで、水にエネルギーを付与し、人間が本来持っている自然治癒力を活性化する機能を付与する。
また、前記炭化手段は、例えば、炭素を収納したガラス管と、前記ガラス管内の炭素に電流を印加する電流源とを有し、炭素から発生した高熱をガラス管の表面を介して前記水に接触させることで、水に含まれるバクテリア等の菌を瞬時に炭化させて死滅させる。
【考案の効果】
【０００７】
本考案に係る機能水製造装置によって製造された機能水は、鮮魚等の食品が腐るのを防いだり、肌をすべすべにし、みずみずしさを保ったり、けがを治療し、皮膚炎を抑制したり、ガン、成人病、生活習慣病を予防して体質改善を図ったり、仕事の疲れ目を癒し、筋肉・肩こりをほぐしたり、機器の表面やガラス表面に付着した汚れを除去したりする効果を発揮する。
【０００８】
つまり、食品の防腐等の食品に対する効果だけでなく、人の健康回復・増進等の人に対する効果をも発揮する多機能な機能水が製造される。
【考案を実施するための最良の形態】
【０００９】
以下、本考案の実施の形態について図面を用いて詳細に説明する。
図１は、本考案の実施の形態に係る機能水製造装置１の構成を示すブロック図である。この機能水製造装置１は、高調波電圧発生器１０、第１タンク２０、第２タンク３０、炭素光発生器３５、ろ過器４０及び炭化装置５０等で構成されている。
高調波電圧発生器１０は、商用１００Ｖを入力とし、１ｋ〜５０ｋＶの範囲の任意に設定された高電圧で、商用６０Ｈｚに高調波が重畳された高調波電圧を発生する変圧器等であり、発生した高調波電圧を炭素電極（炭素棒）１１を介して第１タンク２０内の水に印可する。この高調波電圧発生器１０は、例えば、上記特許文献１で開示されている変圧器等である。
【００１０】
第１タンク２０は、水道管２１から供給される水を保持するとともに、高調波電圧発生器１０から印可された高調波電圧を印可するためのタンクである。第１タンク２０の底には接地電極となる炭素電極（炭）１２が敷き詰められ、水面近くに浸水した炭素電極１１と第１タンク２０の底面に敷設された炭素電極１２との間に高調波電圧が印加され、この間に雷放電が生じる。
【００１１】
第２タンク３０は、第１タンク２０から配管を介して供給された水を保持するとともに、その水に対して、炭素光発生器３５からの炭素光を照射するためのタンクである。なお、炭素光発生器３５は、フィラメントとして炭素を用いた電球に商用１００Ｖを印可して発光させ、その光を第２タンク３０内の水に照射する装置である。
ろ過器４０は、活性炭、中空糸膜、セラミック等をろ材とするフィルタ装置であり、第２タンク３０から配管を介して供給される水に含まれる鉄さび等の固形物をろ過除去し、カビ臭、カルキ臭、トリハロメタン等の溶解物を吸着除去する。
【００１２】
炭化装置５０は、約１０００度の表面温度になった熱管（ガラス管）を有し、その熱管に接触しながら流れる水に対して、その水に含まれる有機物を瞬時に炭化させる装置である。なお、熱管は、ガラス管内に収納した炭素に電流源からの電流を流すことによって高熱を発生する。
【００１３】
次に、以上のように構成された本実施の形態における機能水製造装置１による機能水の製造工程及び各工程での意義を説明する。
図２は、図１に示される機能水製造装置１による機能水の製造工程を示すフローチャートである。まず、水道管２１の蛇口を開き、第１タンク２０を一定量（例えば、５００リットル）の水道水で満たした後に、その水に、海洋深層水と植物発酵液とを添加する（Ｓ１０）。海洋深層水は、カルシウムやマグネシウム等のミネラルが豊富に含まれた深海水であり、例えば、深さ約１０００ｍの海水を汲み上げた深層水であり、第１タンク２０内の水に約１００ｃｃだけ添加する。植物性発酵液は、植物から抽出された発酵エキスであり、例えば、複数の熱帯果実から抽出された発酵液であり、第１タンク２０内の水に約１ｃｃだけ添加する。
【００１４】
ここで、海洋深層水を添加するのは、そこに含まれるミネラルによって、体にある酵素を助ける機能を備える機能水を製造するためである。酵素は、食事等で摂った栄養成分を分解・再合成する機能をもち、身体の機能を正常に保つ働きをするが、その機能がミネラルによって促進されるからである。その結果、体の発達や新陳代謝が促進され、美肌効果や健康増進等の効果が発揮される。また、植物性発酵液を添加しておくのは、体内の酵素を補充するためであり、ここには、植物のすぐれた情報が入っていると考えられる。
【００１５】
次に、高調波電圧発生器１０をＯＮさせることで、例えば、２０ｋＶの高調波電圧を約３０分間かけて第１タンク２０内の水に高調波電圧を印可する（Ｓ１１）。この高調波の処理によって、第１タンク２０内の水は、食品の腐敗を防止する機能を備えることとなる。これは、第１タンク２０内の水に高電界あるいは雷放電によるエネルギーが付与されることで、水のクラスタが分解されて小さくなり、単分子水となって分子運動が活発化され、水の持つ本来のエネルギーが最大限に引き出され、食品を腐敗させるバクテリア等の菌が生存できない状態となるためと考えられる。
【００１６】
次に、単分子水となった水を第１タンク２０から第２タンク３０に移し、その水に向けて炭素光発生器３５からの炭素光を照射する（Ｓ１２）。このとき、炭素光が水に対して十分に照射されるように、例えば、１０リットル単位で第１タンク２０から第２タンク３０に水を移し、約１２時間かけて炭素光を照射する。この照射によって、第２タンク３０内の水は、人の健康を回復・増進したり、けがを治癒したり、人の自然治癒力・免疫力を活性化したりする等の機能を備えることになると考えられる。これは、炭素をフィラメントとする電球から発せられる炭素光は、太陽光に似たスペクトルを持ち、人間の体を健康にさせる振動エネルギーを水に与えることで、人間の健康な細胞が本来もっている正常波動を水に記憶させる作用をしていると考えられる。
【００１７】
なお、正常波動とは、体の細胞が正常な状態のときに発する波動のことである。人の体を構成している細胞は、それぞれ常に振動して固有の波動を放射しており、病気やけがをすると細胞の電子の回転運動がうまく行われなくなり、細胞の波動が乱れる。炭素光が照射された水は、人体の健康な状態の細胞の波動が記憶されているので、乱れた細胞の波動を正常に戻したり、波動の共鳴によって正常な細胞をより一層活性化し、自然治癒力を増大したりすると考えられる。
【００１８】
続いて、炭素光が照射された水をろ過器４０に通過させることで、元の水道水に含まれていた鉄さび等の固形物をろ過除去し、カビ臭、カルキ臭、トリハロメタン等の溶解物を吸着除去する（Ｓ１３）。これによって、元の水道水がおいしい水になるとともに、各種危険物質が除去される。
さらに、ろ過器４０を通過した水を炭化装置５０に通過させることで、ろ過器４０で除去できなかったバクテリア等の有機物を炭化させて死滅させる（Ｓ１４）。これによって、水に含まれる菌等が除去され、食品の防腐効果がさらに高められる。この処理を経た水は、上述のような各種機能を備えた多機能水として、ペットボトルや瓶等に詰められ、商品として出荷される。
【００１９】
このようにして製造された機能水の効能・用途として確認されているものは以下の通りである。
（１）鮮魚等の食品が腐るのを防ぐ効果を発揮する。例えば、この機能水に一瞬だけ鮮魚を浸して引き上げた後に常温で放置しても１週間までは腐敗等の異常が見られなかった。よって、食品の鮮度を保持するための保存水として有効である。
（２）肌をすべすべにし、みずみずしさを保つ効果を発揮する。よって、お風呂上りや、化粧前、化粧落とし後の肌、乾燥時における肌、敏感肌、乾燥肌の化粧水として有効である。
（３）けがを治療し、皮膚炎を抑制する効果を発揮する。よって、傷を治癒する湿布水として、あるいは、アトピー性皮膚炎等の皮膚炎を抑制し治癒する副作用のない安全な水として利用することができる。
（４）ガン、成人病、生活習慣病の予防や体質改善に効果を発揮する。よって、健康を回復・増進する健康飲料水として有効である。
（５）仕事の疲れ目を癒し、筋肉・肩こりをほぐす効果を発揮する。よって、空気が悪い部屋や仕事場でのエアーシャワーとして、あるいは、加湿器に使用する噴霧用水として有効である。
（６）汚れを除去する効果を発揮する。よって、パソコンのモニタ、テレビ、携帯電話機の画面、カガミ等の汚れとりとして有効である。
【産業上の利用可能性】
【００２０】
本考案に係る機能水は、食品の防腐、健康回復・増進、体質改善、けがの治癒、成長促進、美容、人の自然治癒力・免疫力の活性化等の各種機能を発揮する水として、特に、食品用の保存水、化粧水、皮膚炎の抑制する水、健康飲料水、エアーシャワー用の水、汚れ除去用の水として利用することができる。
【図面の簡単な説明】
【００２１】
【図１】本考案の実施の形態に係る機能水製造装置の構成を示すブロック図である。
【図２】機能水の製造工程を示すフローチャートである。
【符号の説明】
【００２２】
１    機能水製造装置
１０    高調波電圧発生器
１１、１２    炭素電極
２０、３０    タンク
２１    水道管
３５    炭素光発生器
４０    ろ過器
５０    炭化装置
【図１】
0003101804.tif 000003
【図２】
0003101804.tif 000004